(57)【要約】【課題】使用者の体格等に合わせてカスタマイズ可能な杖を構成するための杖用部品セットの提供。【解決手段】杖用部品セット１０は、杖本体１１と、脇当部１２，１３と、グリップ１４，１５と、石突部１６，１７とを備える。脇当部１２及び脇当部１３は、杖本体１１に対して互換性を備え、その形状が異なる。グリップ１４及びグリップ１５は、杖本体１１に対して互換性を備え、その形状が異なる。石突部１６及び石突部１７は、杖本体１１に対して互換性を備え、その形状が異なる。杖本体１１，脇当部１２又は脇当部１３と、グリップ１４又はグリップ１５と、石突部１６又は石突部１７とが組み立てられることにより、杖Ｓが構成される。【選択図】  図１
2004180985.tif 000002
【特許請求の範囲】
【請求項１】
杖本体と、
仕様の異なる複数の脇当部を備えた第１部品群と、
グリップと、
石突部とを有し、
杖本体に対して第１部品群に属する一の脇当部、グリップ及び石突部が接合されることによって杖が完成するように構成された杖用部品セット。
【請求項２】
杖本体と、
脇当部と、
仕様の異なる複数のグリップを備えた第２部品群と、
石突部とを有し、
杖本体に対して脇当部、第２部品群に属する一のグリップ及び石突部が接合されることによって杖が完成するように構成された杖用部品セット。
【請求項３】
杖本体と、
脇当部と、
グリップと、
仕様の異なる複数の石突部を備えた第３部品群とを有し、
杖本体に対して脇当部、グリップ及び第３部品群に属する一の石突部が接合されることによって杖が完成するように構成された杖用部品セット。
【請求項４】
杖本体と、
仕様の異なる複数の脇当部を備えた第１部品群と、
仕様の異なる複数のグリップを備えた第２部品群と、
仕様の異なる複数の石突部を備えた第３部品群とを有し、
杖本体に対して第１部品群に属する一の脇当部、第２部品群に属する一のグリップ及び第３部品群に属する一の石突部が接合されることによって杖が完成するように構成された杖用部品セット。
【請求項５】
複数の本体構成部材を備え、所要数の本体構成部材が長手方向に連結されることにより構成される杖本体と、
脇当部と、
グリップと、
石突部とを有し、
杖本体に対して脇当部、グリップ及び石突部が接合されることによって杖が完成するように構成された杖用部品セット。
【発明の詳細な説明】
【０００１】
【発明の属する技術の分野】
この発明は、歩行を補助するための杖に関し、詳しくは、杖を構成し得る杖用部品セットに関するものである。
【０００２】
【従来の技術】
脚部を負傷した場合等においては、歩行を補助するための器具として、杖が従来から提供されている。図３は、従来の一般的な杖（松葉杖）の正面図である。同図が示すように、一般的な従来の杖１は、杖本体２と、使用時に接地される石突部３と、使用者の脇の部分が載置される脇当部４とを有している。杖１の使用者は、石突部３を接地させた状態で、身体を脇当部４に載せながら前へ身体全体を移動させることによって歩行する。
【０００３】
このように一般に杖は、使用者がその身体の一部として使用するものであるから、杖の各部の寸法は、使用者の体格に合致したものであることが必要であり、そのために、従来から杖には、種々の改良が加えられている（例えば、特許文献１及び２参照）。
【０００４】
【特許文献１】
特開平６−８６７９３号公報
【特許文献２】
特開平８−２７５９７７号公報
【０００５】
【発明が解決しようとする課題】
しかしながら、従来のような杖の改良では、各部の寸法を使用者の身体の寸法に正確に合致させることは容易でなく、例えば、杖本体２に設けられたグリップ５の外径が使用者の手の大きさにぴったりと合致しない、あるいは、杖本体２の長さが使用者の身長にぴったりと合致しない等の不都合があった。
そこで、本発明の目的は、使用者の体格に合わせて各部の寸法等が決定され、使用者の体格にかかわらず使いやすい杖用の部品セットを提供することである。
【０００６】
【課題を解決するための手段】
（１）  本願発明者は、杖をモジュール化し、複数の交換可能部品の組立構造体として構成することによって、上記目的を達成することができると考えた。
そこで、本願に係る杖用部品セットは、杖本体と、仕様の異なる複数の脇当部を備えた第１部品群と、グリップと、石突部とを有し、杖本体に対して第１部品群に属する一の脇当部、グリップ及び石突部が接合されることによって杖が完成するように構成されていることを特徴とするものである。
【０００７】
この構成によれば、杖本体の所定位置に第１部品群から選択された脇当部、グリップ及び石突部が組み付けられることによって杖が構成される。
第１部品群には仕様の異なる複数の脇当部が含まれ、各脇当部は、杖の使用者の体格に合致するようにさまざまな寸法、材料からなるものが用意される。したがって、使用者は、自己の身体のサイズに応じて、又は自己の好みに応じて身体にフィットする脇当部を自由に選択することができる。
【０００８】
（２）  また、本願に係る杖用部品セットは、杖本体と、脇当部と、仕様の異なる複数のグリップを備えた第２部品群と、石突部とを有し、杖本体に対して脇当部、第２部品群に属する一のグリップ及び石突部が接合されることによって杖が完成するように構成されていることを特徴とするものである。
この構成によれば、杖本体の所定位置に脇当部、第２部品群から選択されたグリップ及び石突部が組み付けられることによって杖が構成される。
第２部品群には仕様の異なる複数のグリップが含まれ、各グリップは、杖の使用者の手の大きさ等に合致するようにさまざまな寸法、材料からなるものが用意される。したがって、使用者は、自己の手のサイズに応じて、又は自己の好みに応じて手にフィットするグリップを自由に選択することができる。
【０００９】
（３）  さらに、本願に係る杖用部品セットは、杖本体と、脇当部と、グリップと、仕様の異なる複数の石突部を備えた第３部品群とを有し、杖本体に対して脇当部、グリップ及び第３部品群に属する一の石突部が接合されることによって杖が完成するように構成されていることを特徴とするものである。
この構成によれば、杖本体の所定位置に脇当部、グリップ及び第３部品群から選択された石突部が組み付けられることによって杖が構成される。
第３部品群には仕様の異なる複数の石突部が含まれ、各石突部は、さまざまな路面の状態に対応できるようにさまざまな寸法、材料からなるものが用意される。したがって、使用者は、歩行するときの路面の状態（濡れている場合や滑面の場合等）に応じて、又は自己の好みに応じて滑りにくい石突部を自由に選択することができる。
【００１０】
（４）  また、本願に係る杖用部品セットは、杖本体と、仕様の異なる複数の脇当部を備えた第１部品群と、仕様の異なる複数のグリップを備えた第２部品群と、仕様の異なる複数の石突部を備えた第３部品群とを有し、杖本体に対して第１部品群に属する一の脇当部、第２部品群に属する一のグリップ及び第３部品群に属する一の石突部が接合されることによって杖が完成するように構成されていることを特徴とするものである。
この構成によれば、杖本体の所定位置に第１部品群から選択された脇当部、第２部品群から選択されたグリップ及び第３部品群から選択された石突部が組み付けられることによって杖が構成される。
第１部品群には仕様の異なる複数の脇当部が含まれ、各脇当部は、杖の使用者の体格に合致するようにさまざまな寸法、材料からなるものが用意される。第２部品群には仕様の異なる複数のグリップが含まれ、各グリップは、杖の使用者の手の大きさ等に合致するようにさまざまな寸法、材料からなるものが用意される。第３部品群には仕様の異なる複数の石突部が含まれ、各石突部は、さまざまな路面の状態に対応できるようにさまざまな寸法、材料からなるものが用意される。
したがって、使用者は、自己の身体のサイズや手の大きさに応じて、又は自己の好みに応じて身体にフィットする脇当部及びグリップを自由に選択することができる。また、使用者は、歩行するときの路面の状態（濡れている場合や滑面の場合等）に応じて、又は自己の好みに応じて滑りにくい石突部を自由に選択することができる。
【００１１】
（５）  さらに、本願に係る杖用部品セットは、複数の本体構成部材を備え、所要数の本体構成部材が長手方向に連結されることにより構成される杖本体と、脇当部と、グリップと、石突部とを有し、杖本体に対して脇当部、グリップ及び石突部が接合されることによって杖が完成するように構成されていることを特徴とするものである。
この構成によれば、杖本体の所定位置に脇当部、グリップ及び石突部が組み付けられることによって杖が構成される。
杖本体は、複数の本体構成部材のうち所要数のものが連結されて構成されるので、本体構成部材の個数を増減させることにより、杖本体の長さが調整される。これにより、杖の使用者は、自己の身体のサイズに応じて、又は自己の好みに応じて身体にフィットする杖本体を自由に構成することができる。
【００１２】
【発明の実施の形態】
以下、適宜図面が参照されつつ、好ましい実施形態に基づいて本発明が詳細に説明される。
【００１３】
＜第１の実施形態＞
図１は、本発明の第１の実施形態に係る杖用部品セット１０を模式的に示した図であり、（ａ）図は、この杖用部品セット１０により杖Ｓが組み立てられた状態を示し、（ｂ）図は、組立要領を図示している。
この杖用部品セット１０は、杖本体１１と、２つの脇当部１２，１３（第１部品群）と、２つのグリップ１４，１５（第２部品群）と、２つの石突部１６，１７（第３部品群）とを備えている。
【００１４】
杖本体１１は、上部フレーム１８，１９と、下部フレーム２０，２１と、連結具２２と、脚２３とを備える。
上部フレーム１８は、例えばアルミニウム製のパイプからなる。上部フレーム１８は、２００ｍｍ〜６００ｍｍの長さに設定される。上部フレーム１８の材質としては、木材や樹脂等が採用され得る。上部フレーム１９は、上部フレーム１８と同様の構成である。
下部フレーム２０は、例えばアルミニウム製のパイプからなる。下部フレーム２０は、１００ｍｍ〜１３００ｍｍの長さに設定される。下部フレーム２０の材質としては、木材や樹脂等が採用され得る。下部フレーム２１は、下部フレーム２０と同様の構成である。
後述されるが、これら上部フレーム１８，１９と下部フレーム２０，２１との間にグリップ１４又はグリップ１５が配置されるようになっている。
【００１５】
連結具２２は、例えばアルミニウム等により構成される。もっとも、連結具２２の材料としては、木材や樹脂及びゴム等も採用され得る。連結具２２は、基部２４と、脚取付部２５とを有する。
基部２４は、平板状に形成されている。基部２４の上面２６には、凹部２７が設けられている。上記下部フレーム２０，２１は、この凹部２７に嵌め込まれて固定されるようになっている。
脚取付部２５は、基部２４の下面に基部２４と共に一体的に突設されている。脚取付部２５には、凹部２８が設けられている。上記脚２３は、この凹部２８に嵌め込まれて固定されるようになっている。
【００１６】
脚２３は、例えばアルミニウム製のパイプからなる。脚２３は、１００ｍｍ〜１３００ｍｍの長さに設定される。脚２３の材質としては、木材や樹脂等が採用され得る。
本実施形態のように、上部フレーム１８，１９、下部フレーム２０，２１、連結具２３及び脚２３がすべてアルミニウムにより構成されるときは、杖Ｓが組み立てられたときに、杖Ｓが軽量でありながら高い剛性を備えることになる。
【００１７】
脇当部１２は、杖Ｓが使用される際に、使用者が脇を載せる部分である。脇当部１２は、フレーム２９とクッション部材３０とを備えている。
フレーム２９は、例えばアルミニウム等の金属により構成され、断面が略コ字状に形成されている。クッション部材３０は、フレーム２９の上面に嵌め込まれるようにして固定されている。クッション部材３０の上面は、使用者が実際に脇を当てる載置面を構成している。
脇当部１２の下面３１には凹部３２が形成されている。上記上部フレーム１８，１９は、この凹部３２に嵌め込まれて固定されるようになっている。なお、この凹部３２は、フレーム２９の下面３１からクッション部材３０の内部まで形成されている。
【００１８】
一方、脇当部１３は、上記脇当部１２のフレーム２９と同様の形状のフレーム３３と、クッション部材３４とを備えている。したがって、脇当部１３は、脇当部１２と取付互換性を有する。また、脇当部１３の下面３５には、上記凹部３２と同様の凹部３６が形成されている。
クッション部材３４は、その上面の形状が上記クッション部材３０の上面形状と異なっている。具体的には、クッション部材３２の上面は、図が示すように波形に湾曲形成されている。
【００１９】
グリップ１４は、杖Ｓが使用される際に、使用者が把持する部分である。グリップ１４は、アルミニウム等の金属や樹脂及びゴムのほか、木材等により構成される。グリップ１４は、取付部３７と、把持部３８とを有する。取付部３７と把持部３８とは、一体的に形成されていてもよい。
取付部３７には、凹部３９が設けられている。上記上部フレーム１８，１９及び下部フレーム２０，２１は、この凹部３９に嵌め込まれて固定されるようになっている。
把持部３８は、図が示すように、取付部３７間に水平に架け渡された状態で配置されている。把持部３８を構成する材料は、特にネオプレンゴム等が採用されることによって、杖Ｓの使用者が把持部３８を心地よく握ることができる。さらに、本実施形態では、把持部３８が略紡錘形に形成されているから、使用者にとって握り心地がよい。
【００２０】
一方、グリップ１５は、上記グリップ１４の取付部３７と同様の取付部４０と、取付部４０間に架け渡された状態で配置された把持部４１とを有する。したがって、グリップ１５は、グリップ１４と取付互換性を有する。グリップ１５の把持部４１は、図が示すように、下方へ湾曲するように形成されている。
【００２１】
石突部１６は、杖Ｓの使用時に実際に接地される部分である。図が示すように、石突部１６は、略吊鐘状に形成されており、その底面部４２は、平面に形成されている。
また、石突部１６の上端部には凹部４３が形成されている。上記脚２３は、この凹部４３に嵌め込まれて固定されるようになっている。
【００２２】
一方、石突部１７は、略球状に形成されており、その周面４４は曲面に形成されている。したがって、石突部１６は、平面に形成された底面部４２が接地されることになるが、石突部１７は、曲面に形成された周面４４が接地されることになる。
なお、石突部１７には、石突部１６に設けられた凹部４３と同様の凹部４３が設けられているので、石突部１７は、石突部１６と取付互換性を有する。
【００２３】
脇当部１２に対して上記上部フレーム１８，１９が取り付けられ、順に、グリップ１４，下部フレーム２０，２１，連結具２２，脚２３及び石突部１６が取り付けられることにより、同図（ａ）に示された杖Ｓが組み立てられる。この組み立ては、脇当部１２に対して上記上部フレーム１８，１９が嵌合され、上部フレーム１８，１９にグリップ１４が嵌合され、グリップ１４に下部フレーム２０，２１が嵌合され、下部フレーム２０，２１に連結具２２が嵌合され、連結具２２に脚２３が嵌合され、脚２３に石突部１６が嵌合される。つまり、杖Ｓの組み立ては、きわめて簡単な要領で行われる。
【００２４】
しかも、この杖用部品セット１０は、脇当部１２の他にこれと取付互換性を有する脇当部１３を備え、グリップ１４の他にこれと取付互換性を有するグリップ１５を備え、石突部１６の他にこれと取付互換性を有する石突部１７を備えている。本実施形態では、脇当部１２，１３、グリップ１４，１５及び石突部１６，１７はそれぞれ２つづつ用意されているが、取付互換性が確保されるならば、さらに他の仕様のものが用意されることも可能である。
【００２５】
したがって、脇当部１２，１３は、杖Ｓの使用者の体格に合致するように選択される。グリップ１４，１５についても同様である。また、石突部１６，１７は、杖Ｓが使用されるときの地面の状態に合わせて選択される。これにより、杖Ｓの使用者は、自己の身体のサイズや手の大きさに応じて、又は自己の好みに応じて身体にフィットする脇当部１２，１３及びグリップ１４，１５を自由に選択することができ、また、路面が濡れている場合や滑面の場合等に対応して、又は自己の好みに応じて、歩行しやすい石突部１６，１７を自由に選択することができる。その結果、杖Ｓの使用者は、安全に且つ快適に杖Ｓを使用した歩行を行うことができる。
【００２６】
なお、本実施形態では、脇当部１２，１３、グリップ１４，１５及び石突部１６，１７がそれぞれ異なる仕様のものが用意されているが、脇当部のみ、グリップのみ又は石突部のみが複数用意されている構成であってもよい。
【００２７】
＜第２の実施形態＞
図２は、本発明の第２の実施形態に係る杖用部品セット５０を模式的に示した図であり、（ａ）図は、この杖用部品セット５０により杖Ｒが組み立てられた状態を示し、（ｂ）図は、組立要領を図示している。
【００２８】
この杖用部品セット５０は、複数の本体構成部材５３を含む杖本体５１と、脇当部５２と、グリップ５４と、石突部５６とを備えている。本実施形態の特徴とするところは、杖本体５１は、使用者の所望の数の本体構成部材５１が組み立てられることにより、使用者の身体のサイズに合致した杖本体５１が構成されるようになっている点である。
【００２９】
杖本体５１は、本実施形態では、５つの本体構成部材５３と、これらを互いに接続する接続具５５とを有する。もっとも、本体構成部材５３の数は、さらに多数であってもよい。本体構成部材５３及び接続具５５は、アルミニウム等の金属のほか木材や樹脂等により構成されている。
本体構成部材５３は、本実施形態では、棒状部材が略Ｈ型に組み立てられることにより形成されている。本体構成部材５３の高さ寸法ｈは、１００ｍｍ〜５００ｍｍの範囲で適宜設定される。
接続具５５は、直方体状に形成されており、図示されていないが、その上面５７及び下面５８に凹部が設けられている。本実施形態では、接続具５５は、本体構成部材５３の数に対応して８つ用意されている。各本体構成部材５３は、この凹部に嵌め込まれることにより、連結具５５を介して長手方向に連結されるようになっている。
【００３０】
脇当部５２は、上記第１の実施形態に係る脇当部１２と同様の構成である。脇当部５２の下面には、図示されていないが、凹部が形成されている。本体構成部材５３は、この凹部に嵌め込まれて固定されるようになっている。
また、グリップ５４も上記第１の実施形態に係るグリップ１４と同様の構成である。グリップ５４は、取付部５９と、把持部６０とを有する。取付部５９と把持部６０とは、一体的に形成されていてもよい。取付部５９には、図示されていないが、凹部が設けられている。上記本体構成部材５３は、は、この凹部に嵌め込まれて固定されるようになっている。
【００３１】
さらに、石突部５６は、本実施形態では、図が示すようなアーチ状に形成されている。もっとも、石突部５６は、上記第１の実施形態に係る石突部１６と同様の構成であってもよい。
石突部５６は、ポリカーボネート等の樹脂から構成されており、これにより、石突部５６は、接地されたときに弾性変形するようになっている。したがって、歩行の際に杖５０から使用者側に伝わる衝撃が効果的に緩和される。
なお、石突部５６は、種々の金属、木材、ゴム等によって構成されていてもよい。
【００３２】
本実施形態に係る杖用部品セット５０では、脇当部５２に本体構成部材５３及びグリップ５４が順に嵌め込まれ、連続する本体構成部材５３のうち最下段のものに石突部５６が嵌め込まれることによって杖Ｒが組み立てられるので、本実施形態においても、杖Ｒは、きわめて簡単に組み立てられる。
杖本体５１は、複数の本体構成部材５３が連結されて組み立てられるので、杖本体５１の長さが自在に調整される。本実施形態では、５つの本体構成部材５３が長手方向に接続されているが、接続される本体構成部材５３の数は、杖Ｒの使用者の所望の数に設定され得る。
したがって、杖Ｒの使用者は、自己の身体のサイズに応じて、又は自己の好みに応じて身体にフィットする杖本体５１を自由に構成することができ、その結果、杖Ｒの使用者は、安全に且つ快適に杖Ｒを使用した歩行を行うことができる。
【００３３】
なお、本実施形態では、杖用部品セット５０は、単一の脇当部５２，グリップ５４及び石突部５６を備えるが、これらは、上記第１の実施形態と同様に、取付互換性が確保されるならば、複数用意されていてもよいことは勿論である。
【００３４】
【発明の効果】
以上のように本発明によれば、杖の使用者の身体、手のサイズに合致し、且つ路面の状況に対応した杖が提供され、使用者は、安全に且つ快適に杖を使用した歩行を行うことができる。
【図面の簡単な説明】
【図１】図１は、本発明の第１の実施形態に係る杖用部品セットを模式的に示した図であり、（ａ）図は、この杖用部品セットにより杖が組み立てられた状態を示し、（ｂ）図は、組立要領を図示している。
【図２】図２は、本発明の第２の実施形態に係る杖用部品セットを模式的に示した図であり、（ａ）図は、この杖用部品セットにより杖が組み立てられた状態を示し、（ｂ）図は、組立要領を図示している。
【図３】図３は、従来の一般的な杖の正面図である。
【符号の説明】
Ｓ・・・杖
Ｒ・・・杖
１０・・・杖用部品セット
１１・・・杖本体
１２，１３・・・脇当部
１４，１５・・・グリップ
１６，１７・・・石突部
１８，１９・・・上部フレーム
２０，２１・・・下部フレーム
２２・・・連結具
２３・・・脚
２７・・・凹部
２８・・・凹部
３２・・・凹部
３６・・・凹部
３９・・・凹部
４３・・・凹部
５０・・・杖用部品セット
５１・・・杖本体
５２・・・脇当部
５３・・・本体構成部材
５４・・・グリップ
５５・・・接続具
５６・・・石突部
【図１】
2004180985.tif 000003
【図２】
2004180985.tif 000004
【図３】
2004180985.tif 000005